(57)【要約】【課題】端子部品を利用した電子装置と接続機器との接続状態の適正化および接続処理の迅速化や簡易化を図る。また接続機器が接続される電子装置の接続処理の信頼性を高める。【解決手段】筐体（４、８０、１２２）と、ガイド手段（１６、８６）とを備える。筐体は、接続機器（外部機器６、５０）の端子部（端子部品８、挿入部５４）が挿抜されるコネクタ装置（１２）の端子を露出させる開口部（１０、８４、１２４）が形成される。ガイド手段は、接続機器の側面の一部を挟んで支持する支持片（２０、９０）、および接続機器の一部を接触させて支持片を筐体側の開口部前面側にスライドさせるトレー（２２、９２）により、接続機器の挿入に伴って支持片をスライドさせ、接続機器の端子部を開口部に指向させる。そして、ガイド手段は、開口部側へのスライドにより、筐体の一部でありコネクタ装置の周囲側に形成された収納エリア（１８）内に収納される。【選択図】    図１
2014120348.tif 000002
【特許請求の範囲】
【請求項１】
接続機器の端子部が挿抜されるコネクタ装置の端子を露出させる開口部が形成された筐体と、
前記接続機器の側面の一部を挟んで支持する支持片、および前記接続機器の一部を接触させて該支持片を前記筐体側の開口部前面側にスライドさせるトレーにより、前記接続機器の挿入に伴って前記支持片をスライドさせ、前記接続機器の端子部を前記開口部に指向させるガイド手段と、
を備え、
前記ガイド手段は、前記開口部側へのスライドにより、前記筐体の一部であり前記コネクタ装置の周囲側に形成された収納エリア内に収納されることを特徴とする、電子装置。
【請求項２】
前記ガイド手段は、前記接続機器の一部に前記支持片を接触させ、前記接続機器の挿入操作を受けて前記開口部側にスライドすることを特徴とする、請求項１に記載の電子装置。
【請求項３】
前記筐体は、前記開口部の内部または前記筐体外部の何れかに、前記トレーの一部に係合させるスライドレールが形成されることを特徴とする、請求項１または請求項２に記載の電子装置。
【請求項４】
前記トレーは、設置された前記接続機器の一部を載置させて設置高さを調整する高さ調整手段が形成されることを特徴とする、請求項１ないし請求項３のいずれかに記載の電子装置。
【請求項５】
さらに、前記ガイド手段は、前記収納エリアから前記開口部の前面側に引き出すスライド操作が行われる操作部を備え、
該操作部は、前記ガイド手段が前記収納エリア内に収納されたとき、前記開口部の前面側に突出することを特徴とする、請求項１ないし請求項４のいずれかに記載の電子装置。
【発明の詳細な説明】
【技術分野】
【０００１】
本発明は、筐体外装側に配置した端子を介して接続機器を接続させる電子装置に関する。
【背景技術】
【０００２】
電子装置は、たとえば周辺機器や外部記憶媒体、または他の機能部品などの接続機器に接続させるものがある。このような電子装置と接続機器との接続には、たとえば接続部品および電子装置のそれぞれに形成された端子同士を接続させるものや、接続ケーブルなどが利用される。これにより電子装置は、接続した接続機器との間でデータや指示信号の送受信などが行われる。
【０００３】
このような接続機器の端子接続に関し、筐体外側に突出させたトレーに、所定の方向に向けた記憶媒体をロック状態で収納させ、このトレーをスライドさせてコネクタ側に搬送させるものが知られている（たとえば、特許文献１）。
【先行技術文献】
【特許文献】
【０００４】
【特許文献１】特開２００５−６３７００号公報
【発明の概要】
【発明が解決しようとする課題】
【０００５】
ところで、外部周辺機器などの接続機器は、端子部品を電子装置の端子に対して適切な状態で接続させる必要がある。接続機器の接続をガイドする手段には、接続させる機器全体を収納させてガイドするものがあり、このようなガイドによれば電子装置の端子位置に向けて接続機器全体を導くことができる。しかし、接続機器は、たとえば容易に着脱を可能にするために端子部分のみを筐体の開口部分に挿入させ、開口部に対する挿入量が少ない構成のものがある。また、接続させる端子部品は、電子装置側の端子に対する挿入方向が一定の範囲内に設定されるものがある。このような端子部品は、挿入量が足りない場合や電子装置の端子に対して適切な方向や角度で挿入されない場合には、接続機器を機能させることができなくなる。端子部品の挿入状態が確認されずに、無理に挿入操作が行われれば端子部品の破損などを招くおそれがある。そのほか接続機器全体を収納させて挿入をガイドする構成では、電子装置の大型化を招くことになる。
【０００６】
また、電子装置は、たとえば筐体の薄型化や小型化または多機能化などにより端子の配置位置が限定されることで、利用者から見えにくい位置に端子が配置される場合がある。このような電子装置は、接続機器を接続させる端子が筐体の正面に配置されるものに限られず、たとえば筐体の側面側または背面側に形成される。このように利用者が目視できない位置に配置された端子に対する挿入操作では、たとえば端子位置が把握できた場合であっても、挿入操作時に端子に対して挿入方向や角度のずれなどが生じるおそれがある。
【０００７】
そのため電子装置の利用者は、接続機器の接続時に筐体の側面側または背面側に向けて移動するほか、筐体を持上げるなどして、端子位置や接続状態を目視で確認する必要がある。これにより電子装置は、接続機器との接続処理において、端子位置や接続状態の確認などに手間を要し、接続作業の煩雑化を招く。
【０００８】
そこで、本開示の電子装置の目的は、端子部品を利用した電子装置と接続機器との接続状態の適正化および接続処理の迅速化や簡易化を図ることにある。
【０００９】
また、本開示の電子装置の他の目的は、端子部品を介して接続機器が接続される電子装置の接続処理の信頼性を高めることにある。
【課題を解決するための手段】
【００１０】
上記目的を達成するため、本開示の構成の一側面は、筐体と、ガイド手段とを備える。筐体は、接続機器の端子部が挿抜されるコネクタ装置の端子を露出させる開口部が形成される。ガイド手段は、前記接続機器の側面の一部を挟んで支持する支持片、および前記接続機器の一部を接触させて該支持片を前記筐体側の開口部前面側にスライドさせるトレーにより、前記接続機器の挿入に伴って前記支持片をスライドさせ、前記接続機器の端子部を前記開口部に指向させる。そして、ガイド手段は、前記開口部側へのスライドにより、前記筐体の一部であり前記コネクタ装置の周囲側に形成された収納エリア内に収納される。
【発明の効果】
【００１１】
本開示の電子装置によれば、次のいずれかの効果が得られる。
【００１２】
(1)   接続機器の側面部分を支持片により挟持するとともに、接続機器の挿入操作に伴って支持片をスライドさせることで、接続機器の端子部を開口部側に対して最適な挿入位置、角度に指向させながら導くことができ、接続精度の向上が図れる。
【００１３】
(2)  接続機器の一部を接触させたトレーを開口部側に向けてスライドさせることで、接続機器を最適な挿入位置や角度に指向させて開口部側に導くことができ、接続操作の簡易化や接続処理の信頼性を高めることができる。
【００１４】
そして、本発明の他の目的、特徴および利点は、添付図面および各実施の形態を参照することにより、一層明確になるであろう。
【図面の簡単な説明】
【００１５】
【図１】第１の実施の形態に係る電子装置の構成例を示す図である。
【図２】ガイド部品の設置構成例を示す図である。
【図３】第２の実施の形態に係る電子装置の構成例を示す図である。
【図４】電子装置の内部構成例を示す分解図である。
【図５】ガイド部品の外観構成例を示す図である。
【図６】スライド機構の構成例を示す図である。
【図７】スライド機構の構成例を示す図である。
【図８】支持片による外部機器の支持状態例を示す図である。
【図９】トレーのスライドストロークと端子部品の挿入状態例を示す図である。
【図１０】図３のＸ−Ｘ線断面を示す図である。
【図１１】ガイド部品の高さ調整機能の一例を示す図である。
【図１２】ガイド部品を利用した挿入処理手順の一例を示す図である。
【図１３】ガイド部品を利用した挿入処理手順の一例を示す図である。
【図１４】ガイド部品を利用した挿入処理手順の一例を示す図である。
【図１５】スライド機構にストッパを設けた構成例を示す図である。
【図１６】第３の実施の形態に係る電子装置の構成例を示す図である。
【図１７】ガイド部品のスライド機構の構成例を示す図である。
【図１８】図１７のａ−ａ線断面を示す図である。
【図１９】電子装置の他の構成例を示す図である。
【図２０】第４の実施の形態に係る電子装置の構成例を示す図である。
【図２１】ガイド部品のスライド機構の構成例を示す図である。
【図２２】その他の実施の形態に係るガイド部品を備える電子装置の構成例を示す図である。
【図２３】その他の実施の形態に係るガイド部品を備える電子装置の構成例を示す図である。
【発明を実施するための形態】
【００１６】
〔第１の実施の形態〕
【００１７】
図１および図２は、第１の実施の形態に係る電子装置の構成例を示している。図１および図２に示す構成は一例であり、本発明が斯かる構成に限定されるものではない。
【００１８】
図１に示す電子装置２は、本開示の電子装置の一例であり、筐体４の外装側に外部機器６の端子部品８を挿入させる開口部１０が形成されている。この電子装置２は、たとえばＰＣ（Personal Computer）やサーバ装置、または携帯通信端末などの情報処理装置、その他、端子部品８を介して外部機器６が挿入される機器が含まれる。そして、電子装置２は、開口部１０を通じて外部機器６と物理的および電気的に端子接続される。電子装置２は、たとえば接続した外部機器６との間で、またはこの外部機器６を介してデータや指示情報などの送受信を行う。開口部１０は、筐体４の内部に設置されたコネクタ装置１２の端子１４を筐体４の外部に露出させる。また電子装置２には、開口部１０に接続される外部機器６の挿入操作をガイドするガイド部品１６が設置される。
【００１９】
筐体４は、電子装置２の外装部品の一例であり、たとえば内部にコンピュータなどで構成される電子装置２の電子部品が収納される。この電子部品は、たとえば図示しない基板などに実装されて筐体４内に設置される。開口部１０は、たとえば電子装置２の周囲面側に１または複数個形成されている。開口部１０の形成位置は、電子装置２の種類や筐体４の大きさによるが、たとえばユーザに対して正面側に配置されるほか、直接目視できない側面または背面側に配置される。
【００２０】
筐体４には、たとえば開口部１０の形成位置にコネクタ装置１２が設置され、開口部１０を通じて外部機器６の端子部品８のみがコネクタ装置１２に挿入される。このコネクタ装置１２は、たとえば電子装置２と外部機器６とを電気的に接続させるインターフェースの一例であり、図示しない基板に対して接続される。また、筐体４の内部には、たとえばガイド部品１６を収納する収納エリア１８が形成されている。この収納エリア１８は、たとえばコネクタ装置１２の周囲に形成され、挿入ガイド処理に応じてガイド部品１６が出し入れされる。
【００２１】
＜外部機器６について＞
【００２２】
外部機器６は、端子接続を介して電子装置２と物理的および電気的に接続する本開示の接続機器の一例である。この外部機器６は、たとえば外部記憶装置などの電子装置や他の電子装置と接続させるための接続手段などが含まれ、これらの装置の外装側に端子部品８が設置される。この接続手段は、電子装置２と他の電子機器とを接続させるための手段の一例であり、たとえば端子部品８が形成された接続ケーブルなどが含まれる。この接続ケーブルは、たとえば一端側に端子部品８が形成され、他端側に操作機能部品などを備えるものや、両端側に端子部品８が形成され、電子装置２と他の機器とを接続させるものが含まれる。この端子部品８は、コネクタ装置１２の端子１４に対し、上下または左右の接続方向が限定される。外部機器６の接続により電子装置２は、記憶領域の拡大や処理能力の追加や拡張などが得られる。
【００２３】
外部機器６は、たとえばＵＳＢ（Universal Serial Bus）やＩＥＥＥ（The Institute of Electrical and Electronic Engineers：米国電気電子学会）、またはその他の規格に準拠した端子部品８を備える。この外部機器６が接続される筐体４側のコネクタ装置１２も同じ規格に基づく端子１４（図２）が設置される。外部機器６は、たとえば端子部品８の一面が開口部１０内の端子１４に対して一定の範囲内の対向角度で接近させて挿入される。接続させる外部機器６の端子部品８は、規格などによって設定された形状および寸法で形成されるほか、端子１４側への挿入方向が限定されている。外部機器６は、開口部１０内に端子部品８が一定量挿入されると、挿入が不可能になり、端子１４により端子部品８を介して支持される。このとき外部機器６は、筐体４に対して所謂片持ち状態となる。
【００２４】
なお、外部機器６およびコネクタ装置１２は、一般的に利用される規格に基づいて構成されたものに限られず、たとえば挿抜する開口部１０に対して一定の挿入方向が設定され、端子１４と端子部品８との外形形状や寸法が予め特定されるものであればよい。
【００２５】
＜ガイド部品１６の構成例について＞
【００２６】
ガイド部品１６は、挿入される外部機器６を支持するとともに、開口部１０側に対して設定された方向および角度で指向させて導くガイド手段の一例である。ガイド部品１６は、たとえば外部機器６の側面の一部を支持する支持片２０および筐体４の開口部１０の前面側に突出し、外部機器６に接触して支持するトレー２２を含んでいる。
【００２７】
支持片２０は、外部機器６の挿入方向を規定するとともに、端子部品８を一定の方向に指向させる手段の一例である。支持片２０は、たとえば２本の支持手段がトレー２２の平面上に一定の間隔を持って対向して設置され、この２本の支持手段の間に外部機器６の一部を挟持させる。支持手段の設置間隔は、外部機器６が支持片２０に接触する部分の幅に応じて設定されればよく、端子部品８に接触させる場合、端子部品８が準拠する規格に基づいて一定の幅が設定される。この支持片２０は、たとえば樹脂材料で構成され、外部機器６との接触部分を一定幅の平面に形成されている。支持片２０は、たとえばトレー２２と一体に形成されてもよく、または別部品をトレー２２上に立設させてもよい。そのほか、支持片２０が外部機器６の端子部品８以外に接触する場合には、たとえば予め設定された接触部分の幅に基づいて支持手段の配置間隔を決めればよい。
【００２８】
なお支持片２０は、外部機器６を挟持する支持手段が２本の場合に限られない。外部機器６の一部として、たとえば端子部品８を左右または上下から挟んで一定の方向に指向させることができればよく、２本以上で構成されてもよい。
【００２９】
トレー２２は、外部機器６を支持する支持片２０を介して外部機器６を挿入方向に導く手段の一例であり、外部機器６の挿入操作に伴ってスライドし、筐体４側に挿入されることで支持片２０を筐体４の開口部１０側にスライドさせる。トレー２２は、たとえば樹脂材料で構成され、所定の厚さと広さの平板状に形成されている。トレー２２は、平板上に外部機器６の一部を接触させる。これにより、外部機器６は、支持片２０によって側面を挟持されるとともに、支持片２０との接触面以外の面をトレー２２に支持され、少なくともに３方向から接触支持される。
【００３０】
トレー２２は、たとえば図２に示すように外部機器６の底面側に配置され、平板部分に外部機器６の外装筐体または端子部品８の一部を載置させてもよい。この場合、トレー２２は、平板部分の一部が端子部品８の一部または一面に接触する。
【００３１】
トレー２２は、たとえば開口部１０に設置されるコネクタ装置１２の近傍であって、平板部分が端子１４の一辺に沿ってスライドし、収納エリア１８内に収納されている。ガイド部品１６は、たとえばコネクタ装置１２の底部側に沿ってスライドさせるように設置されている。これにより、コネクタ装置１２は、開口部１０に対し、たとえばトレー２２がスライド可能な幅に応じて、設置位置が設定される。
【００３２】
また、開口部１０に配置されたトレー２２とコネクタ装置１２は、支持片２０に支持された外部機器６がトレー２２のスライドによって開口部１０側に導かれて、端子部品８がコネクタ装置１２の端子１４に挿入されるように相対位置や相対高さが設定される。このトレー２２とコネクタ装置１２との相対位置や相対高さは、接続される外部機器６毎の端子部品８の大きさや種類、または外装筐体の大きさなどに基づいて設定される。
【００３３】
＜外部機器６の挿入ガイドについて＞
【００３４】
外部機器６の挿入操作は、たとえば開口部１０の前面側に突出したトレー２２に対し、端子部品８を支持片２０の間に挿入させる位置に設置する。支持片２０は、コネクタ装置１２に挿入可能な規格に準拠した端子部品８に応じて配置間隔が設定されており、異なった種類の外部機器６の端子部品８は支持されない。ガイド部品１６は、接続させる端子同士が所定の規格などによって規定されており、または接続させる機器が規定されていることで、その接続条件に基づいて支持片２０による支持位置を確定させることができる。
【００３５】
支持された端子部品８は、たとえば電子装置２のユーザによる挿入操作に対し、支持片２０の接触によって開口部１０側に対して指向される。ガイド部品１６は、支持片２０によって端子部品８や外装筐体の一部を挟持することで、挿入操作によって外部機器６に作用する左右方向への力の偏りを吸収して外部機器６を開口部１０へ導く。支持片２０は、たとえば外部機器６の左右方向への変位や、端子部品８の左右回転方向への変位を阻止することで、端子部品８を開口部１０側に指向させることができる。
【００３６】
電子装置２のユーザは、たとえば外部機器６の外装筐体を把持して挿入操作を行うほか、外装筐体とガイド部品１６の一部を共に把持してもよい。そして、外部機器６を電子装置２に向けて近接させることで、この操作力によってトレー２２が収納エリア１８側にスライドし、外部機器６をコネクタ装置１２へ導く。
【００３７】
なお、トレー２２は、外部機器６の底部側に配置されるものに限られず、左右または上部側に接触して外装筐体または端子部品８の一部と接触させるものであってもよい。
【００３８】
斯かる構成によれば、外部機器６の側面部分を支持片２０により挟持し、外部機器６の挿入操作に伴ってトレー２２と支持片２０とをスライドさせることで、外部機器６の端子部品８を開口部１０側に対して最適な挿入位置、角度に指向させながら導くことができる。また、接続精度の向上が図れる。また、外部機器６の一部を接触させたトレー２２を開口部１０側に向けてスライドさせることで、支持片２０によって最適な挿入位置や角度に指向させた状態で、外部機器６を開口部１０側に導くことができる。これにより、目視による開口部１０の位置確認が不要になり、接続操作の簡易化や接続処理の信頼性を高めることができる。
【００３９】
〔第２の実施の形態〕
【００４０】
図３は、第２の実施の形態に係る電子装置の構成例を示している。図３に示す構成は一例であり、本発明が斯かる構成に限定されるものではない。
【００４１】
図３に示す電子装置３０は、本開示の電子装置の一例であり、筐体４の一部に形成された開口部１０において外部機器と端子接続可能な構成である。そしてこの電子装置３０は、この開口部１０に対して外部機器の接続をガイドするガイド部品１６を備えている。開口部１０は、たとえば筐体４の側面側に形成され、筐体４の内側に配置されたコネクタ装置１２の端子１４が開口部１０から外部に露出されている。また筐体４内には、たとえば基板３２が設置され、この基板３２との間に開口部１０に対する外部機器の挿入をガイドするガイド部品１６が収納されている。このガイド部品１６は、外部機器が設置されない場合、筐体４内にトレー２２が収納され、開口部１０内に外部機器を支持する支持片２０が配置される。
【００４２】
ガイド部品１６は、開口部１０からトレー２２をスライドして突出させ、そのトレー２２に設置された支持片２０によって外部機器を支持させる。ガイド部品１６は、たとえば筐体４と基板３２との間にある収納エリア３４内にトレー２２が収納される。収納エリア３４には、たとえばトレー２２をスライドさせるスライド機構３６が形成されている。このスライド機構３６は、筐体４の一部に係合し、またはトレー２２の一部に係合させるスライド部品を備えている。
【００４３】
またガイド部品１６は、たとえばトレー２２の一端側にトレー２２の引出し操作を行う操作部３８が形成されており、この操作部３８が開口部１０から電子機器３０の前面側の外部に突出して配置される。これによりガイド部品１６は、たとえば開口部１０に外部機器が接続されておらず、トレー２２が筐体４の収納エリア内に収納された場合に、突出させた操作部３８によってガイド部品１６の位置をユーザに示すことができる。
【００４４】
図４に示す電子装置３０は、たとえば筐体４の内部底面側にガイド部品１６が設置され、その上部側に開口部１０に合わせてコネクタ装置１２が配置される。またこのコネクタ装置１２の周囲側または背面側に基板３２が設置される。この筐体４は、たとえば上部側に図示しない上部ケース部品またはカバーが設置されるほか、基板３２の上側にキーボードなどの操作部品が設置されてもよい。そのほか筐体４内には、ＨＤＤ（Hard disk Drive）やＳＳＤ（Solid State Drive）などの記憶装置や光学ドライブ装置などが設置される。
【００４５】
＜基板３２の構成例について＞
【００４６】
基板３２は、電子装置３０をコンピュータとして機能させる機能部品が実装される回路装置の一例であり、たとえばＣＰＵ(Central Processing Unit )などのプロセッサや、ＲＡＭ（Random Access Memory）などを備えている。コネクタ装置１２は、基板３２の一部に実装され、外部機器と基板３２に実装されたプロセッサ等と電気的に接続させる。基板３２は、単一の実装基板に多数の機能部品を実装させるものに限られず、たとえば機能部品毎や、筐体４内の配置位置毎に実装部品を分類させた複数の実装基板で構成されてもよい。この場合、基板３２は、たとえばプロセッサやＲＡＭが実装されたメインボードと、このメインボードとデータ等の送受信が可能に接続され、コネクタ装置などが実装された１または複数のサブボードで構成されればよい。
【００４７】
＜スライド機構３６の構成例について＞
【００４８】
筐体４は、たとえば底面側にスライドレール４０が設置されている。このスライドレール４０は、たとえば筐体４の側面側に形成された開口部１０に向けて一定の長さで形成されている。スライドレール４０は、筐体４と一体に成形されてもよく、または開口部１０の位置に合わせてレール部材が設置されてもよい。
【００４９】
またガイド部品１６は、たとえばトレー２２の一部にスライドレール４０に係合させる係合部４２が形成されている。この係合部４２は、スライドレール４０と係合させることでガイド部品１６をスライドさせるスライド機構３６の一例である。係合部４２は、たとえば筐体４の外部に突出させる支持片２０が形成されたトレー２２の一端に対し、他端側に形成され、筐体４の収納エリア３２内でスライドする。
【００５０】
係合部４２は、たとえば図５のＡに示すように、トレー２２のスライド方向に沿って設置されており、スライドレール４０毎に両側面側を係合させるように、スライドレール４０の幅に応じて２枚ずつの係合片が平行に配置されている。係合部４２の長さは、ガイド部品１６を筐体４から突出させるスライド量に応じて設定されればよい。
【００５１】
また、係合部４２には、たとえば図５のＢに示すように側面側に係合窓部４６が形成されており、スライドレール４０に形成される凸部６２（図６）を係合させる。この係合窓部４６は、凸部６２を係合させてガイド部品１６のスライドを規制する手段の一例である。係合窓部４６は、係合部４２にそれぞれ形成されてもよく、またはスライドレール４０の凸部６２の形成位置に応じて、一方のみに形成してもよい。
【００５２】
ガイド部品１６は、図６に示すように筐体４のスライドレール４０に対してトレー２２の係合部４２が配置され、係合窓部４６に凸部６２を挿入させる。またこのときガイド部品１６は、支持片２０が形成されたトレー２２の一端側を、開口部１０を通じて筐体４の外側に配置される。トレー２２には、たとえばガイドする外部機器の支持高さを調整する載置凸部６４が形成されてもよい。載置凸部６４は、たとえばガイド部品１６が開口部１０から引き出されたときに筐体４の外部に配置される位置に形成される。
【００５３】
＜スライド動作例について＞
【００５４】
ガイド部品１６は、引出し操作が行われるとスライドレール４０を通じてスライドし、支持片２０や操作部３８、載置凸部６４が設置されたトレー２２の一端側が開口部１０から筐体４の外部に突出する。係合部４２は、係合窓部４６内に凸部６２を通過または摺動させながらスライドレール４０上をスライドする。そして、ガイド部品１６は、係合窓部４６の一端側に凸部６２が接触することでスライドが規制される。このとき、係合部４２は、たとえばトレー２２の突出量を規制するとともに、ガイド部品１６の開口部１０からの排出を防止するために、開口部１０側の端部を筐体４の内壁側に接触させる構成としてもよい。
【００５５】
ガイド部品１６は、たとえば外部機器を開口部１０側に導いて挿入させたとき、または外部機器を利用しないときに、図７に示すように、開口部１０を通じて筐体４の内部の収納エリア３４内に押込まれて収納される。筐体４の外部側に一端側が突出したガイド部品１６は、スライドレール４０に沿って筐体４の内部側にスライドする。そして、ガイド部品１６は、たとえばトレー２２の中央側の係合窓部４６の一端に凸部６２が接触することでスライドが規制される。
【００５６】
＜ガイド部品１６による外部機器の支持構造について＞
【００５７】
図８は、支持片による外部機器の支持状態例を示している。図８に示す構成は一例である。
【００５８】
図８に示すガイド部品１６は、支持片２０が外部機器５０の端子部品の一部を支持する例を示している。この外部機器５０は、たとえばＵＳＢ規格の端子を利用した機器の一例である。外部機器５０は、たとえば筐体部５２または端子部品の一部に、コネクタ装置１２に対する挿入状態において、挿入される挿入部５４および開口部１０の前面側に露出させる露出部５６を備える。
【００５９】
筐体部５２は、たとえばユーザなどに把持され、挿抜操作や携帯所持させる部分の一例であり、ユーザの指などに対して絶縁させるために絶縁性の樹脂材料などで構成されればよい。筐体部５２は、たとえば外形形状や寸法の設定はされないが、ガイド部品１６に対する端子部品の支持を阻害しない形状および寸法で構成されている。
【００６０】
なお、ガイド部品１６が筐体部５２の一部を支持させる構成である場合、利用される外部機器５０の筐体形状や寸法を予め取得し、ガイド部品１６の支持片２０の配置間隔を設定させればよい。
【００６１】
挿入部５４は、開口部１０を通じてコネクタ装置１２内に挿入される構成例であり、たとえば外部機器５０の前面端部側を開口させ、図示しない内部に複数の通信線または端子を露出させている。挿入部５４は、たとえば金属部材や、一部分が樹脂部材などで構成されている。挿入部５４の幅Ｗ１は、たとえば準拠する端子１４の規格に基づいて設定され、コネクタ装置１２の端子１４に挿入可能な大きさに形成されている。またトレー２２の平板面の幅Ｗ２は、たとえば挿入部５４の幅Ｗ１以上に設定されればよく、より理想的には、挿入部５４の幅Ｗ１と左右の支持片２０の厚さを合計した幅に設定すればよい。
【００６２】
露出部５６は、外部機器５０の端子部品の構成例であって、筐体５２と挿入部５４との間に形成される。この露出部５６は、たとえばコネクタ装置１２に対して接続されるときに、端子１４の内部に挿入されず、開口部１０の内部または前面側に露出される。この露出部５６は、たとえば挿入部５４と一体に形成されてもよい。露出部５６の両側面に接触して支持する支持片２０の設置幅Ｗ３は、たとえば露出部５６の幅と支持片２２の厚さの合計に基づいて設定すればよく、トレー２２の幅Ｗ２と同等に設定してもよい。
【００６３】
＜ガイド部品１６による外部機器５０の支持状態例について＞
【００６４】
露出部５６は、外部機器５０の接続処理においてコネクタ装置１２内に挿入されないことから、ガイド部品１６の支持片２０によって支持される支持エリアとして利用される。ガイド部品１６は、たとえばトレー２２の平板上に少なくとも露出部５６を載置させるとともに、支持片２０を露出部５６の両側面に接触させて支持する。この支持片２０は、たとえば露出部５６の高さに応じて長さが設定されており、先端部分を露出部５６よりも高く突出させている。また、この支持片２０の先端部分は、たとえばそれぞれ対向方向に屈曲され、露出部５６の上面側の一部に嵌合させる爪部５８が形成されている。爪部５８は、外部機器５０の一部に嵌合させる嵌合爪の一例であり、支持片２０と一体に構成してもよく、または、支持片２０の先端側に別部材を設置してもよい。
【００６５】
これにより端子部品８は、底面側をトレー２２に載置させ、両側面側を支持片２０によって支持される。そしてガイド部品１６は、外部機器５０の挿入操作において、端子部品８の底面、両側面および上面の一部または全部に接触することで、少なくとも挿入方向に対して、横方向および上下方向に外部機器５０が離脱するのを防止している。そして、ガイド部品１６は、図９のＡに示すように筐体部５２側から伝わる操作力に対し、支持片２０によって端子部品８の回転を阻止し、挿入部５４を一定方向に指向させる。
【００６６】
ガイド部品１６は、外部機器５０の挿入操作力によってトレー２２を開口部１０側にスライドさせることで、図９のＢに示すように支持片２０によって支持された挿入部５４を開口部１０側に導き、コネクタ装置１２の端子１４内に挿入させる。ガイド部品１６は、外部機器５０に対し、開口部１０との対向面側の一部に支持片２０を接触させ、外部機器５０の挿入操作を受けて開口部１０側にスライドする。
【００６７】
ガイド部品１６は、たとえばスライドレール４０の凸部６２と係合する係合窓部４６の長さＬ１に基づいてスライドストロークが設定される（図９のＡ）。ガイド部品１６は、ユーザによってトレー２２が引き出されると、たとえばトレー２２が最大で長さＬ１分スライドする。このとき、開口部１０前面側には、たとえばトレー２２が筐体４から支持片２０まで長さＬ２で突出する。
【００６８】
そして突出したトレー２２に外部機器５０が設置されると、外部機器５０に対する挿入操作によって、トレー２２が開口部１０側に向けてスライドする。外部機器５０の挿入部５４は、たとえばトレー２２が長さＬ２分スライドすると、コネクタ装置１２の端子１４内に挿入される。このとき、スライドレール４０の凸部６２に対して係合部４２が長さ、つまり挿入処理時のスライドストロークＬ３でスライドする。
【００６９】
この実施の形態に係るガイド部品１６は、支持片２０が開口部１０内に収納される構成であることから、スライドストロークＬ１とトレー２２の突出量である長さＬ２およびコネクタ接続させるためのスライドストロークＬ３を同等になる。しかし、ガイド部品１６は、たとえば外部機器５０を設置していない場合のスライド量と、外部機器５０を端子１４に接続させるときのスライド量を異ならせてもよい。すなわちガイド部品１６は、たとえば外部機器５０を端子１４に接続させる場合に支持片２０が開口部１０内に挿入させない場合や、支持片２０を露出部５６以外に接触させる場合に、スライドストロークＬ１とスライドストロークＬ３とを異ならせてもよい。
【００７０】
＜電子装置３０の断面構造例について＞
【００７１】
電子装置３０は、たとえば図１０に示すように、開口部１０の開口高さに対し、コネクタ装置１２および基板３２が設置される。またガイド部品１６は、この開口部１０およびコネクタ装置１２の設置高さに基づき、スライドレール４０上に設置される。基板３２は、たとえば筐体４の底面側に形成されたボス７０に載置され、このボス７０に形成され、または設置された孔に対してネジやボルト、その他ラッチ部品などの固定部品７１によって固定される。
【００７２】
開口部１０の開口幅Ｗ４は、たとえば電子装置３０内部に配置されるコネクタ装置１２の端子１４よりも幅広に形成されている。この開口幅Ｗ４は、たとえば挿入される外部機器５０の挿入部５４が開口部１０との接触によって損傷するのを防止するほか、ガイド部品１６の支持片２０を収納させる場合には、支持片２０の挿入エリア７３として利用する。
【００７３】
＜外部機器の設置高さ調整について＞
【００７４】
図１１は、ガイド部品の高さ調整機能の一例を示している。図１１に示す構成は一例である。
【００７５】
外部機器５０は、たとえば露出部５６をトレー２２の載置凸部６４上に載置させてガイド部品１６に対する設置高さが調整される。載置凸部６４は、たとえばトレー２２の平板上から挿入部５４の中心までの高さを開口部１０内に設置されたコネクタ装置１２の中心軸Ｏ上に配置させる高さに設定される。つまり載置凸部６４の高さｈ１は、たとえば端子の厚さの半分の厚さｈ２との合計がトレー２２の平板面から中心軸Ｏまでの高さｈ３になるように形成すればよい。装置凸部６４の高さｈ１は、載置される端子部品が規格等によって設定され、または予め把握された特定の端子であることから、一定の値が設定される。
【００７６】
＜コネクタ接続ガイド操作について＞
【００７７】
図１２、図１３、図１４は、ガイド部品を利用した挿入処理手順の一例を示している。図１２、図１３、図１４に示す処理内容は一例である。
【００７８】
筐体４内に収納されたガイド部品１６は、たとえば図１２のＡに示すように開口部１０の前面側に操作部３８が突出して配置されている。外部機器５０の挿入処理では、操作部３８にユーザの指などが接触され、ユーザにガイド部品１６の位置が把握される。そして図１２のＢに示すように操作部３８が把持され、トレー２２をスライドさせてガイド部品１６が開口部１０の前面側に引き出される。
【００７９】
図１３に示すガイド部品１６は、たとえばスライドストロークの最大値まで引き出される。このガイド部品１６は、スライドストロークの最大値まで引き出される場合に限られず、少なくとも支持片２０が筐体４の外部に位置し、トレー２２上に外部機器５０が載置可能な位置まで引き出されればよい。
【００８０】
そして、図１４に示すように、外部機器５０は、筐体４の外部に突出したガイド部品１６の支持片２０およびトレー２２に対し、挿入部５４を電子装置３０側に向けて設置させる。外部機器５０は、たとえば挿入部５４を、対向して配置される支持片２０の間を通過させ、または支持片２０の先端に形成された爪部５８を押し広げるように上部側から載置させる。そして外部機器５０は、たとえば支持片２０に露出部５６またはその周辺部分が支持されると、ユーザ操作によって開口部１０側に向けて押込まれる。この挿入操作では、たとえば少なくとも外部機器５０の筐体部５２が把持されて筐体４側に力が加えられればよい。また、挿入操作では、筐体部５２とともにガイド部品１６のトレー２２や操作部３８が把持される。
【００８１】
そして、外部機器５０に対して開口部１０側に向けて操作力が加えられると、支持片２０がその力を受けることで、トレー２２がスライドする。これによりガイド部品１６は、挿入部５４を開口部１０側に向けて指向させた状態でコネクタ装置１２の端子１４側に導いて挿入させる。
【００８２】
また、この挿入操作では、たとえばガイド部品１６に対する外部機器５０の設置位置や端子の方向が不適正な場合、または異なる規格の端子部品の外部機器５０が設置された場合、ガイド部品１６が開口部１０内に対し、適正にスライドさせることができない。つまり、ガイド部品１６は、コネクタ装置１２の端子１４に対応した外部機器５０のみが挿入可能に位置や高さが設定され、誤った外部機器の誤挿入を阻止している。
【００８３】
なお、ガイド部品１６のトレー２２には、たとえば設定されたストロークでスライドしたか否かを判別可能な表示手段を備えてもよい。
【００８４】
＜スライド機能の他の構成例について＞
【００８５】
図１５は、スライド機構にストッパを設けた構成例を示している。図１５に示す構成は一例である。
【００８６】
図１５に示すガイド部品１６は、たとえばスライドレール４０と係合部４２との間にトレー２２のスライドを阻止するストッパ機能を備えている。係合部４２の係合窓部４６は、たとえば両端部側から中央側に向けて一定の距離にスライドレール４０の凸部６２に接触させるストッパ部７２、７４が形成されている。このストッパ部７２、７４は、たとえば図１５のＡに示すようにトレー２２が最も開口部１０から突出する状態と、図１５のＢに示すように筐体４内に収納される状態で凸部６２が接触するように設置されている。
【００８７】
ストッパ部７２、７４は、たとえば係合部４２と一体に形成してもよく、または別部品を設置させてもよい。また、ストッパ部７２、７４は、係合窓部４６内の２箇所に設置される場合に限られず、たとえばトレー２２が収納された時に接触する場所のみであってもよく、または２個以上任意の位置に設置してもよい。このストッパ部７２、７４は、トレー２２のスライドにより凸部６２が摺動しながら乗り越えることが可能な高さに形成されており、凸部６２が意図せず係合窓部４６内を移動するのを防止する。また、凸部６２がストッパ部７２、７４を乗り越える構造により、ガイド部品１６は、ユーザに対して一定のクリック感を与えることができ、挿入操作においてトレー２２を目視することなく、適切な位置までトレー２２が挿入され、または引き出されたことを認識させることができる。
【００８８】
斯かる構成によれば、外部機器６の一部を把持した挿入操作において、挿入させる端子部品を支持片２０やトレー２２の接触により開口部１０側に指向させるとともに、指向させた状態でトレー２２によって開口部１０側に導くことで、挿入状態の最適化が図れる。また、筐体４から引き出されたトレー２２によって外部機器６の挿入方向が設定され、支持片２０によって挿入方向が限定されるので、開口部１０の位置確認や接続状態の確認が不要になり、接続操作の簡易化および迅速化が図れる。最適な挿入高さおよび方向に支持させる構成により、コネクタ装置１２に対応しない外部機器６の判別の容易化や、誤挿入による端子部品の損傷防止などが図れる。
【００８９】
〔第３の実施の形態〕
【００９０】
図１６は、第３の実施の形態に係る電子装置の構成例を示す。図１６に示す構成は一例である。
【００９１】
図１６に示す電子装置８０は、本開示の電子装置の一例である。電子装置８０は、たとえば電子装置８０の側面側に設置される側面筐体８２と、この側面筐体８２と一体または別部材で構成されて電子装置８０の底面側に設置される底面筐体８３を備える。側面筐体８２や底面筐体８３は、たとえば樹脂材料や金属材料が含まれる。
【００９２】
側面筐体８２には、たとえば、一部に外部機器５０を電子装置８０に差し込みを可能にする１または複数の開口部８４が形成され、その内部に外部機器５０と接続させる図示しないコネクタ装置が設置されている。開口部８４は、電子装置８０の外部側にコネクタ装置の端子を露出させることで、外部機器５０の挿入位置を示している。また電子装置８０は、開口部８４側に対する外部機器５０の挿入処理をガイドするガイド部品８６が設置されている。ガイド部品８６は、外部機器５０の一部を把持し、外部機器５０の端子部品を開口部８４側に指向させる手段の一例である。
【００９３】
ガイド部品８６は、開口部８４側に向けて行われる挿入操作にトレーのスライドを利用して追従させる。これにより、ガイド部品８６は、外部機器５０を開口部８４側に一定の挿入角度を維持させて導く。
【００９４】
側面筐体８２には、たとえば開口部８４の周縁側に、ガイド部品８６の一部を電子装置８０内にスライドさせて収納する収納孔９４が形成されている。収納孔９４は、たとえば筐体内部にガイド部品８６のトレーを収納させる収納エリアが形成されればよい。電子装置８０の内部構成や開口部８４内部に設置されるコネクタ装置の構成については、上記実施の形態と同様に構成すればよく、詳細な説明を省略する。
【００９５】
そのほか底面筐体８３には、たとえば外装側に電子装置８０を支持するための脚部や、筐体内部に設置された機能部品を冷却させるための冷却孔などが形成されればよい。
【００９６】
図１７のＡに示すガイド部品８６は、支持片９０、トレー９２およびスライダ１０２で構成されている。支持片９０は、外部機器５０の外装筐体の一部を両側面側から挟持させることで、端子部品を一定の方向に固定させるほか、ユーザによる挿入操作力の付加に対して外部機器５０の挿入方向を指向させる手段の一例である。トレー９２は、外部機器５０の一部に接触させ、外部機器５０の挿入に伴って支持片９０を開口部８４側にスライドさせる手段の一例である。
【００９７】
スライダ１０２は、トレー９２の平面側の一部に形成され、底面筐体８３の一部に形成されたスライド孔１００内を摺動してトレー９２をスライドさせる手段の一例である。スライド孔１００は、スライドレールの一例であり、内部に係合したスライダ１０２のスライドストロークやスライド方向を規制している。
【００９８】
このガイド部品８６は、たとえば外部機器５０を支持しないとき、電子装置８０の内部に収納され、収納孔９４側に支持片９０が突出される。またガイド部品８６は、外部機器５０をガイドして開口部８４側にスライドしたとき、たとえばスライダ１０２がスライド孔１００の所定位置まで挿入される。
【００９９】
＜挿入ガイド処理について＞
【０１００】
このガイド部品８６による外部機器５０の挿入ガイド処理では、たとえば図１７のＢに示すように、スライダ１０２をスライド孔１００の最大ストロークとなる位置までスライドさせる。このスライドによって開口部８４から突出したトレー９２に対し、外部機器５０を載置させる。このとき外部機器５０は、たとえば外装筐体の設定された部分を支持片９０に対して挟持される位置に調整して設置させる。そして、ユーザにより外部機器５０に対して挿入操作が加えられると、支持片９０とともにスライダ９２が収納孔９４側にスライドして側面筐体８２側から電子装置８０の内部に挿入される。これにより、外部機器５０の端子部品は、ガイド部品８６によって開口部８４方向に指向させた状態で開口部８４内に挿入される。
【０１０１】
＜ガイド部品８６の構成例について＞
【０１０２】
ガイド部品８６は、図１８に示すように、トレー９２の先端部分に底面筐体８３側に向けて突出させたスライダ１０２が形成され、スライド孔１００内に摺動される。これによりスライダ１０２は、トレー９２が一定量まで引き出されると、スライド孔１００の端部に接触することで、スライドが規制される。
【０１０３】
また、トレー９２は、たとえば収納孔９４において、底面筐体８３の一部に接触させ、または収納孔９４の通過時の高さを一定にさせることで、載置した外部機器５０の挿入高さの変動を防止することができる。そのほかトレー９２は、平板面の一部に外部機器５０の筐体部５２を接触させてガイド部品８６に対する載置高さを固定する載置部１０４を備えている。この載置部１０４は、トレー９２のスライドによって収納孔９４内部に収納させる構成であればよい。これにより、ガイド部品８６は、支持した外部機器５０を一定の高さに維持させることができるとともに、外部機器５０を支持しない場合に電子装置８０内部にトレー９２を収納させることができる。
【０１０４】
なお、このガイド部品８６は、電子装置８０内に収納された状態から引き出す場合、たとえば筐体外部に突出した支持片９０によってガイド部品８６の位置をユーザに示すことができる。また、トレー９２の一部にガイド部品８６の引出し操作を行うための操作部を設置してもよい。
【０１０５】
＜電子装置の他の構成例について＞
【０１０６】
電子装置８０は、側面筐体８２側に同一種類のコネクタ装置を備えた開口部が複数形成されるほか、たとえば端子規格が異なる多種のコネクタ装置を備える開口部が形成される場合がある。図１９に示すように、この電子装置８０には、たとえばＵＳＢ規格のコネクタ開口部１１０、ＨＤＭＩ（High-Definition Multimedia Interface）規格のコネクタ開口部１１２、無線ＬＡＮ用のジャック開口部１１６などを備える。また、外部モニタのケーブルを挿入させるインターフェース端子１１４などを備える。そこで、電子装置８０は、たとえば各開口部１１０、１１２、１１６やインターフェース端子１１４に対してそれぞれ開口部や端子の幅に合わせたガイド部品８６ａ、８６ｂ、８６ｃ、８６ｄを備えてもよい。
【０１０７】
各開口部１１０、１１２、１１６やインターフェース端子１１４には、挿入されるケーブル端子などの外部機器を各ガイド部品８６ａ、８６ｂ、８６ｃ、８６ｄに設置して挿入操作が行われる。これにより、ガイド部品８６ａ、８６ｂ、８６ｃ、８６ｄによって接続させる端子を各開口部１１０、１１２、１１６やインターフェース端子１１４に指向させることで、挿入操作の最適化が図れるとともに、外部機器の挿入位置や挿入状態の目視による確認が省略できる。
【０１０８】
斯かる構成によれば、外部機器５０の筐体部を支持することにより端子部品の指向を行うことでコネクタ装置１２に対する挿入操作の最適化を図ることができる。また、スライドしたトレー９２を通過させる収納孔９４を備えることで、コネクタ装置１２を露出させる開口部８４を最小限の大きさに形成でき、電子装置８０内部への異物の混入などの可能性を低下させることができる。
【０１０９】
〔第４の実施の形態〕
【０１１０】
図２０に示す電子装置１２０は、側面筐体１２２の開口部１２４に対して挿入される外部機器５０に対し、たとえば筐体外装面に沿ってトレー９２をスライドさせて挿入ガイドを行うガイド部品８６を備えている。ガイド部品８６は、既述のように支持片９０およびトレー９２で構成され、トレー９２に設置された外部機器５０の筐体部５２の一部を支持片９０によって挟持している。トレー９２は、たとえば開口部１２４の周縁側に配置され、外部機器５０の挿抜方向にスライドされる。
【０１１１】
電子装置１２０は、たとえば図２１のＡに示すように、底面筐体１２３の外装面の一部に、開口部１２４およびその開口部１２４内に設置されたコネクタ装置１２と平行にトレー９２が設置される。底面筐体１２３には、たとえばトレー９２に対するスライド機構の一例として、スライダ１３０が設置されている。スライダ１３０は、底面筐体１２３の表面に対し、スライド方向に沿ってトレー９２の両側面を支持するレールで構成され、たとえば底面筐体１２３から電子装置１２０の底面側に向けて突出し、その先端部分をトレー９２の平面側に沿わせて屈曲して形成されている。これにより、トレー９２は、スライド方向に平行な側面部分をスライダ１３０に沿わせるとともに、平面部の一部をスライダ１３０に載置させて摺動することで、一定方向にスライドさせることができる。
【０１１２】
ガイド部品８６による外部機器５０の挿入処理では、たとえば図２１のＢに示すようにトレー９２を一定量まで開口部１２４の前面方向に突出させて、その平面部分に外部機器５０を設置すればよい。そして、外部機器５０としてたとえばＵＳＢケーブルなどが設置されたガイド部品８６は、ＵＳＢケーブルの挿入操作に連動してトレー９２をスライドさせ、端子部品を開口部１２４側に指向させる。
【０１１３】
また、外部機器５０の挿入ガイド処理を行わない場合には、ガイド部品８６は、たとえば支持片９０が側面筐体１２２の近傍まで接近し、または接触するまでトレー９２がスライダ１３０内に収納される。つまりスライダ１３０は、トレー９２を収納する収納エリアを形成している。
【０１１４】
なお、スライダ１３０またはトレー９２には、たとえばトレー９２のスライドストロークを規制するためのストッパ機構を設けてもよい。このストッパ機構は、外部機器５０の挿入量の確認に利用できるほか、トレー９２がスライダ１３０から脱落するのを防止することができる。そのほか、トレー９２には、既述のように外部機器５０の設置高さを調整する載置面部を設置してもよい。
【０１１５】
また、この実施の形態では、トレー９２およびスライダ１３０を電子機器１２０の底面側に設置する場合を示したが、これに限られない。トレー９２およびスライダ１３０は、開口部１２４の周縁に沿って設置可能であれば、電子装置１２０の側面筐体１２２や上面筐体に設置してもよい。
【０１１６】
斯かる構成によれば、外部機器５０の一部を把持した挿入操作において、挿入させる端子部品を支持片９０やトレー９２の接触により開口部１２４側に指向させるとともに、指向させた状態でトレー９２によって開口部１２４側に導くことで、挿入状態の最適化が図れる。また、側面筐体１２２から引き出されたトレー９２に載置することよって外部機器５０の挿入方向が設定され、支持片９０によって挿入方向が限定されるので、開口部１２４の位置確認や接続状態の確認が不要になり、接続操作の簡易化および迅速化が図れる。また、スライダ１０２を電子装置の外装側に設置させる構成であり、またトレー９２を収納させる収納エリアや収納孔などを設ける必要がないので、既存の電子装置に対してガイド部品を追加させることが可能となる。
【０１１７】
〔その他の実施の形態〕
【０１１８】
(1)  上記実施の形態では、ガイド部品１６は、電子装置の設置方向に対し、設置面に平行にトレー２２の載置面が配置される場合を示したがこれに限られない。図２２のＡに示すガイド部品１６は、たとえば電子装置２００の設置面に対し、直交方向にトレー２２の載置面を備えてもよい。電子装置２００は、たとえば、筐体２０２が薄型に形成された場合、外部機器５０を挿入させる開口部２０４と電子装置２００の載置面までの距離が短い。そのため開口部２０４の下部側に設置されたガイド部品１６では、操作部３８の操作が困難な場合がある。そこで、ガイド部品１６は、ユーザによる操作が困難とならない位置に設置方向を決定してもよい。また、このガイド部品１６は、たとえば各辺が長辺および短辺で構成されたＵＳＢ端子などの外部機器５０に対し、長辺側の配置方向に合わせて設置方向を決定してもよい。
【０１１９】
そして、ガイド部品１６は、図２２のＢに示すように、開口部２０４の側面側から引き出され、鉛直方向に向けられたトレー２２の平面部に外部機器５０を接触させるとともに、端子部品を支持片２０に挟持させる。そして、ガイド部品１６は、ユーザによる外部機器５０の筐体部５２の挿入操作に対してトレー２２を追従させることで、端子部品を開口部２０４側に指向させる。これにより外部機器５０は、挿入部５４をコネクタ装置２０６の端子に挿入させることができる。
【０１２０】
(2)  上記実施の形態では、ガイド部品１６は、外部機器６、５０の長辺部分に平行にトレー２２の平面部を配置する構成例を示したがこれに限らない。図２３に示す電子装置２００は、たとえばコネクタ装置の短辺側が電子装置２００の設置面に対して平行に設定されている。これに対し、ガイド部品１６は、コネクタ装置２０６および開口部２０４の短辺側に沿って設置されてもよい。
【０１２１】
(3)  上記実施の形態では、ガイド部品１６は、外部機器５０の一辺側に接触させるトレー２２を備える場合を示したがこれに限られない。ガイド部品１６は、たとえば外部機器５０の端子部品または筐体部５２の複数面または全周を接触させるトレー２２を利用してもよい。
【０１２２】
(4)  ガイド部品１６は、たとえばトレー２２の一部に挿入ストロークを示す表示手段を形成してもよい。これによりたとえばＰＣなどにおいてコネクタの挿入状態が直接目視できない場合、トレーのスライド量に基づいて、挿入状態までスライドし、適切に挿入されたか否かを判断可能に表示させてもよい。
【０１２３】
次に、以上述べた実施例を含む実施の形態に関し、更に以下の付記を開示する。以下の付記に本発明が限定されるものではない。
【０１２４】
（付記１）接続機器の端子部が挿抜されるコネクタ装置の端子を露出させる開口部が形成された筐体と、
前記接続機器の側面の一部を挟んで支持する支持片、および前記接続機器の一部を接触させて該支持片を前記筐体側の開口部前面側にスライドさせるトレーにより、前記接続機器の挿入に伴って前記支持片をスライドさせ、前記接続機器の端子部を前記開口部に指向させるガイド手段と、
を備え、
前記ガイド手段は、前記開口部側へのスライドにより、前記筐体の一部であり前記コネクタ装置の周囲側に形成された収納エリア内に収納されることを特徴とする、電子装置。
【０１２５】
（付記２）前記支持片は、先端部分に前記接続機器の一部に嵌合させる嵌合爪を備えることを特徴とする、付記１に記載の電子装置。
【０１２６】
（付記３）前記ガイド手段は、前記トレーの平板上に前記接続機器を載置させ、前記接続機器とともに前記筐体側に向けてスライドすることを特徴とする、付記１または付記２に記載の電子装置。
【０１２７】
（付記４）前記ガイド手段は、前記接続機器の一部に前記支持片を接触させ、前記接続機器の挿入操作を受けて前記開口部側にスライドすることを特徴とする、付記１ないし付記３のいずれかに記載の電子装置。
【０１２８】
（付記５）前記筐体は、前記開口部の内部または前記筐体外部の何れかに、前記トレーの一部に係合させるスライドレールが形成されることを特徴とする、付記１ないし付記４のいずれかに記載の電子装置。
【０１２９】
（付記６）前記トレーは、設置された前記接続機器の一部を載置させて設置高さを調整する高さ調整手段が形成されることを特徴とする、付記１ないし付記５のいずれかに記載の電子装置。
【０１３０】
（付記７）さらに、前記ガイド手段は、前記収納エリアから前記開口部の前面側に引き出すスライド操作が行われる操作部を備え、
該操作部は、前記ガイド手段が前記収納エリア内に収納されたとき、前記開口部の前面側に突出することを特徴とする、付記１ないし付記６のいずれかに記載の電子装置。
【０１３１】
（付記８）前記収納エリアは、前記開口部内に形成され、
前記開口部から前記コネクタ装置の周縁側に前記トレーが挿入されることを特徴とする、付記１ないし付記７のいずれかに記載の電子装置。
【０１３２】
（付記９）前記収納エリアは、前記開口部の周縁側に形成された収納孔の内部、または前記筐体の外装表面に沿って形成されることを特徴とする、付記１ないし付記７のいずれかに記載の電子装置。
【０１３３】
（付記１０）前記支持片は、前記トレーが前記収納エリアに収納されたとき前記開口部内に収納されることを特徴とする、付記１ないし付記９のいずれかに記載の電子装置。
【０１３４】
（付記１１）前記スライドレールは、前記トレーの一部と係合させてスライド位置を規定するストッパが形成されることを特徴とする、付記５に記載の電子装置。
【０１３５】
（付記１２）前記支持片は、前記接続機器の端子部または外部筐体の一部を挟持して支持することを特徴とする、付記１ないし付記１１のいずれかに記載の電子装置。
【０１３６】
以上説明したように、本発明の最も好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１３７】
２、３０、８０、１２０、２００  電子装置
４  筐体
６、５０  外部機器
８  端子部品
１０、８４、１２４、２０４  開口部
１２、２０６  コネクタ装置
１４  端子
１６、８６、８６ａ、８６ｂ、８６ｃ、８６ｄ  ガイド部品
１８、３４  収納エリア
２０、９０  支持片
２２、９２  トレー
３２  基板
３６  スライド機構
３８  操作部
４０  スライドレール
４２  係合部
４６  係合窓部
５２  筐体部
５４  挿入部
５６  露出部
５８  爪部
６２  凸部
６４  載置凸部
７３  挿入エリア
７２、７４  ストッパ部
８２、１２２  側面筐体
８３、１２３  底面筐体
９４  収納孔
１００  スライド孔
１０２  スライダ
１０４  載置部
１１０、１１２  コネクタ開口部
１１４  インターフェース端子
１１６  ジャック開口部
１３０  スライダ
【図１】
2014120348.tif 000003
【図２】
2014120348.tif 000004
【図３】
2014120348.tif 000005
【図４】
2014120348.tif 000006
【図５】
2014120348.tif 000007
【図６】
2014120348.tif 000008
【図７】
2014120348.tif 000009
【図８】
2014120348.tif 000010
【図９】
2014120348.tif 000011
【図１０】
2014120348.tif 000012
【図１１】
2014120348.tif 000013
【図１２】
2014120348.tif 000014
【図１３】
2014120348.tif 000015
【図１４】
2014120348.tif 000016
【図１５】
2014120348.tif 000017
【図１６】
2014120348.tif 000018
【図１７】
2014120348.tif 000019
【図１８】
2014120348.tif 000020
【図１９】
2014120348.tif 000021
【図２０】
2014120348.tif 000022
【図２１】
2014120348.tif 000023
【図２２】
2014120348.tif 000024
【図２３】
2014120348.tif 000025